(57)【特許請求の範囲】
【請求項１】
光源と、
前記光源から射出される光を導光する導光体と、を有する照明装置であって、
前記光源、前記導光体を保持するフレームの少なくとも一部は、骨格部と当該骨格部の周囲を覆う樹脂層とを含み、
前記骨格部が前記樹脂層に比べて剛性が高く、
前記樹脂層に開口部が設けられ、該開口部からの前記骨格部の一部が露出してなるグランド接続用端子が設けられた照明装置。
【請求項２】
前記骨格部は、前記フレームの形状に沿って枠状に形成されている請求項１記載の照明装置。
【請求項３】
前記フレームは、前記骨格部の表面に前記樹脂層が形成されることで構成される請求項１または２記載の照明装置。
【請求項４】
前記骨格部は、マグネシウム、カーボン或いはステンレスを含む導電性材料によって形成され、前記樹脂層は、絶縁性材料によって形成される請求項１から３のいずれか一項に記載の照明装置。
【請求項５】
前記光源が実装された基板が備えられ、
前記基板上のグランド端子が前記グランド接続用端子に接続される請求項１から４のいずれか一項に記載の照明装置。
【請求項６】
前記骨格部は、セラミックスによって形成され、前記樹脂層は、絶縁性材料によって形成される請求項１から３のいずれか一項に記載の照明装置。
【請求項７】
請求項１から６のいずれか一項に記載の照明装置が備えられ、該照明装置に備えられた前記導光体からの射出光を液晶パネルに照射させる構成からなっている液晶表示装置。
【請求項８】
請求項７記載の液晶表示装置が搭載されている電子機器。
【発明の詳細な説明】
【技術分野】
【０００１】
本発明は、照明装置、液晶表示装置及び電子機器に関する。
【背景技術】
【０００２】
従来、携帯電話機等の液晶画面を照らす照明装置として、ＬＥＤ（Light Emitting Diode）とアクリルやポリカーボネート等からなる導光体とを用いた照明装置がある。この照明装置は、導光体の端面（入射面）側に複数のＬＥＤを配置し、これらのＬＥＤからそれぞれ発せられた光を入射面から導光体にそれぞれ入射させ、導光体の平面（出射面）から分散させて出射させるものである。
【０００３】
上記のように導光体を備えた照明装置としては、光源を有する光源基板、導光体、放熱板及び遮光シート等をフレームに備え、前記光源基板を導光体と放熱板との間に配置して、光源で発生する熱に起因する照明装置の温度分布の不均一性を抑制することを可能としたものが知られている。（例えば、特許文献１参照。）
【特許文献１】特開２００５−１０７７２１号公報
【発明の開示】
【発明が解決しようとする課題】
【０００４】
しかしながら、上記したような従来の照明装置におけるフレームは、一般的にプラスチックより形成されていることが多いことから強度（剛性）の心配がなされていた。その対策として金属製のフレームが提案されたが、全体を金属により形成することからフレームに保持される導光体に割れや欠けが生じ、これが起因して電気的なショートを誘発してしまう虞があった。そのため、導光体あるいはフレームに別部品を追加し、フレームの剛性を向上させる方法がとられていた。しかしながら、別部品を具備させることから、部品点数が増加するとともに装置全体の外形寸法が大きくなってしまうために、コストダウンや小型化を図り難くなるという問題が生じる。
【０００５】
本発明は上記した従来の問題が考慮されたものであり、絶縁性を確保しつつフレーム自体の剛性を向上させることを可能とした照明装置、液晶表示装置及び電子機器を提供することを目的としている。
【課題を解決するための手段】
【０００６】
本発明に係る照明装置は、光源と、光源から射出される光を導光する導光体と、を有する照明装置であって、光源、導光体を保持するフレームの少なくとも一部は、骨格部と当該骨格部の周囲を覆う樹脂層とを含み、骨格部が樹脂層に比べて剛性が高く、樹脂層に開口部が設けられ、該開口部からの骨格部の一部が露出してなるグランド接続用端子が設けられる。
【０００７】
このような構成によれば、骨格部の周囲が樹脂層で覆われた構成となっているので、フレームの剛性を格段に向上させることができる。例えば、従来のように樹脂製のフレームに別部品を追加することで剛性を確保する方法よりも、部品点数が少なくて済み、簡易な構成で容易にフレームの剛性を向上させることができる。また、組立効率が向上することから製造コストの削減が図れるとともに、フレーム自体の外形サイズを縮小（従来通りの大きさで形成）することが可能であるため製品の小型化が見込める。さらに、骨格部よりも剛性の低い材料からなる樹脂層により、フレームに保持される導光体に損傷を与えることが防止されるので、製造効率を向上させることができるとともに製品の信頼性及び耐久性が高められる。また、装置の電気的な振動（ノイズ）を除去することができるので製品の信頼性を向上させることができる。
【０００８】
また、本発明の照明装置においては、骨格部は、フレームの形状に沿って枠状に形成してもよい。
このような構成によれば、フレームの剛性をより高いものとすることができ、枠の一部が破損したりするのを防止できる。
【０００９】
また、骨格部の表面に前記樹脂層が形成されることで構成してもよい。
このような構成によれば、樹脂層よりも剛性の高い骨格部をフレーム内に有したものとすることができるのでフレームの剛性が従来よりも確実に確保される。
【００１０】
また、本発明の照明装置においては、骨格部は、マグネシウム、カーボン或いはステンレスを含む導電性材料によって形成され、前記樹脂層は、絶縁性材料によって形成される構成としてもよい。
このような構成によれば、骨格部を導電性材料のマグネシウム、カーボン或いはステンレスによって形成されることにより、フレームの剛性を著しく高めることができるとともに所望とする形状に加工し易い。中でも、マグネシウムは、軽量であることから実用性が高いものである。また、樹脂層が絶縁性材料によって形成されることから、導通性材料からなる骨格部を有するフレームの絶縁性を確実に確保することができる。
【００１２】
また、本発明に係る液晶表示装置は、光源が実装された基板が備えられ、基板上のグランド端子がグランド接続用端子に接続されるようにしてもよい。
このような構成によれば、特に光源による電気的な振動（ノイズ）を除去することができるので製品の信頼性をより向上させることができる。
【００１３】
また、本発明に係る液晶表示装置は、骨格部がセラミックスによって形成され、樹脂層が絶縁性材料によって形成されるようにしてもよい。
このような構成によれば、骨格部がセラミックス製であることからフレームの軽量化を図ることができる。さらに、骨格部が半導通性を有するセラミックス材料であっても、その表面が絶縁性材料からなる樹脂層によって覆われることから、フレームの剛性を高めるとともに絶縁性を確実に確保することができる。
【００１４】
また、本発明に係る液晶表示装置は、上記した照明装置が備えられ、該照明装置に備えられた導光体からの射出光を液晶パネルに照射させる構成からなっていることを特徴としている。
このような特徴により、上記した照明装置と同様の作用及び効果を奏するため、耐久性、信頼性が向上し、低コストで小型の液晶表示装置を提供することができる。
【００１５】
また、本発明に係る電子機器は、上記した液晶表示装置が搭載されていることを特徴としている。
このような特徴により、上記した照明装置や液晶表示装置と同様の作用及び効果を奏するため、快適な表示を実現した電子機器を提供することができる。
【発明を実施するための最良の形態】
【００１６】
以下、本発明に係る照明装置、液晶表示装置及び電子機器の実施の形態について、図面に基いて説明する。
【００１７】
［照明装置］
まず、本実施の形態における照明装置１の構成について説明する。
図１は本実施の形態における照明装置１の概略構成を表す分解斜視図である。
図１に示すように、本実施の形態における照明装置１は、フレーム２と、放熱板３と、光反射シート４と、基板５上にそれぞれ実装された複数の光源６…と、導光板７（導光体）と、光学フィルタ８と、遮光シート９とを有する構成からなる。
【００１８】
フレーム２は、導光板７を保持するための枠形状の部品であり、例えばポリカーボネートやフッ素樹脂、ＡＢＳ等の樹脂から形成されている。フレーム２の内側には内側開口２ａが設けられ、この内側開口２ａを取り囲むように枠部２ｂ，２ｃ，２ｄ，２ｅが設けられている。図１に示す例では、直線状の複数の枠部２ｂ〜２ｅにより矩形状の枠が形成され、内側に矩形状の内側開口２ａが形成されている。また、フレーム２の外側面には、後述する放熱板３の被係止部３ｊ〜３ｌにそれぞれ係止される複数の突起状の係止部２ｆ，２ｇ，２ｈ，２ｉが設けられている。なお、係止部２ｇ〜２ｉは図１に表されていないが、図１に表された係止部２ｆと同様の構成からなり、図１では係止部２ｇ〜２ｉが形成される位置に符号が付してある。
【００１９】
図２は本実施の形態における上記固定用フック部２３の構成を表した部分拡大平面図であるとともに、図２は図１に示すＡ−Ａ間の断面図である。
本実施形態におけるフレーム２には、図２における側断面視において、Ｌ字状を呈する骨格部２８が内蔵されている。この骨格部２８は、金属材料あるいは非金属材料からなるもので、マグネシウム（Ｍｇ）、ステンレス、セラミックス、カーボンなどの剛性材料を用いてダイキャスト成形により、上記フレーム２の形態に沿うようにして枠形状に形成されている。本実施形態においては、マグネシウムを用い、フレーム２の剛性の向上のみならず、製造（加工）の容易性及び装置の軽量化等が図られている。フレーム２は、ポリカーボネート、ＡＢＳ、フッ素樹脂等の樹脂からなる絶縁体層２９（樹脂層）により前記骨格部２８全体が覆われてなるもので、換言すれば、絶縁体層２９内に上記した導電性材料からなる骨格部２８を内蔵した構成となっている。絶縁体層２９は、骨格部２８を金型内に配置した状態で、前記した樹脂材料のいずれかをフレーム２の外周部に射出成形することにより、図１に示すような形態に形成される。このように、骨格部２８及び絶縁体層２９は二重射出成形することにより互いに結合され一体化されている。
【００２０】
このような構成にすればフレーム２の剛性を著しく向上させることができるとともに、絶縁体層２９によってフレーム２の絶縁性を確保することができるので、フレーム２に保持される前記導光板７が骨格部２８に接触することで割れや欠け等が発生して、相互間で電気的なショートが生じてしまう心配はない。
【００２１】
なお、上記では、骨格部２８の断面形状がＬ字状であると述べたが、本発明においてはこれに限らず、Ｃ字状でもその他形状であっても良い。骨格部２８の形状は、形成する材料によって設定されるものであって選定した材料の有する剛性度合いに適した形状に形成される。また、固定用フック部２３の位置は図１に示した位置に限らず、その他実装機器側へ実装する上で適した箇所に形成することが好ましい。
【００２２】
このようなフレーム２の所定の枠部２ｃ，２ｄには、図１及び図２に示すように、照明装置１を実装機器側へ固定するための矩形枠状を呈する固定用フック部２３が設けられている。固定用フック部２３は、互いに相反する方向へと張り出すとともに枠部２ｃ，２ｄの延在方向において互いの位置をずらすようにして、これら枠部２ｃ，２ｄと一体に形成され、それぞれの中央部に矩形状の矩形孔２５を有したものとなっている。この矩形孔２５内に、例えば実装機器側の部品を係合可能としている。これら固定用フック部２３は、前記矩形孔２５を構成するとともに対応する前記枠部２ｃあるいは枠部２ｄと平行をなすようにして、実装機器側への固定を確実にするための爪部２６を設けている。爪部２６は、照明装置１の実装方向側に延在し、その先端部に実装機器側と係合するための係合部２７を形成しておくことにより照明装置１の良好な実装を可能とする。
【００２３】
このフレーム２の枠部２ｂには、基板５上に実装される光源６…の発光面６ａを導光板７の入射面７ａに押し付ける第１の押し付け部１０と、導光板７をフレーム２に押し付ける第２の押し付け部１１とがそれぞれ備えられている。第１の押し付け部１０は、光源６…を導光板７の入射面７ａ側に付勢するよう機能し、第２の押し付け部１１は、導光板７をフレーム２側に付勢するよう機能する。このように、光源６…の発光面６ａが第１の押し付け部１０によって導光板７の入射面７ａに押し付けられるため、第１の押し付け部１０により光源６…の発光面６ａと導光板７の入射面７ａとの相関位置を安定させることができる。また、導光板７が第２の押し付け部１１によってフレーム２に押し付けられることで、フレーム２に対する導光板７のガタツキが抑えられ、フレーム２に対する導光板７の位置精度が向上する。よって、光源発光面と導光板入射面との相関位置を一層安定させることができ、照明装置１の輝度や発光効率をより安定且つ向上させることができる。また、衝撃時に導光板７がフレーム２から外れ難くなり、頑丈な照明装置１にすることができる。
【００２４】
さらに、フレーム２の枠部２ｂには、後述する光源６…のグランド端子と骨格部２８とを接続するための開口部が形成されている。図１において、開口部は図示されていないが、例えば、基板５と対向する枠部２ｂ裏面側の所定箇所に形成されることが好ましく、導光板７と接触する表面側には形成しないようにして骨格部２８が導光板７と接触することを避けた構成とする。このような構成によって、前記骨格部２８の一部が開口部内にて外側に露出した状態となっている。
【００２５】
図１に示すように、放熱板３は、上記フレーム２に取り付けられる例えばアルミニウムや銅、ステンレス鋼等の金属素材、または熱伝導性の良好な金属以外の素材からなる板状の部品である。放熱板３は上記フレーム２の内側開口２ａを覆う板面３ａを有しており、放熱板３の外縁は枠部２ｂ〜２ｅに対応した形状になっている。また、放熱板３の外縁部分には、板面３ａから立ち上げられた折り返し部３ｂ，３ｃ，３ｄ，３ｅ，３ｆ，３ｇ，３ｈが板面３ａを囲うように設けられている。これらの折り返し部３ｂ〜３ｈの中にフレーム２が嵌め込まれ、フレーム２の枠部２ｂ〜２ｅの外面に各折り返し部３ｂ〜３ｈがそれぞれ係合される。また、放熱板３の折り返し部３ｂ〜３ｈのうち、上記フレーム２の係止部２ｆ〜２ｉに対応する位置にある折り返し部３ｃ，３ｅ，３ｆ，３ｈには、フレーム２の係止部２ｆ〜２ｉを係止させるための被係止部３ｉ，３ｊ，３ｋ，３ｌがそれぞれ設けられている。これらの被係止部３ｉ〜３ｌは、フレーム２の係止部２ｆ〜２ｉがそれぞれ嵌め込まれる開口であり、これらの被係止部３ｉ〜３ｌにフレーム２の係止部２ｆ〜２ｉが嵌め込まれて係止されることで、放熱板３がフレーム２に一体的に取り付けられている。
【００２６】
一方、フレーム２には、基板５上に光源６…が実装されてなる光源基板１２（図４参照）が取り付けられている。光源基板１２を構成する基板５は、フレーム２の枠部２ｂに沿って延在する帯状の基板であり、例えばポリイミド樹脂等を基材とするＦＰＣを用いることが好ましい。ＦＰＣを用いることで、基板５の厚さを小さくすることができ、また、他の部材への密着性を向上させることができる。ただし、基板５としてＦＰＣ以外の基板を用いることも可能であり、例えば、フェノール樹脂やガラスエポキシ樹脂等で構成されるハード基板を用いてもよい。
【００２７】
図３は光源６…を実装した基板５を表す拡大平面図である。
図１，３に示すように、上記した基板５は、矩形の島部５ａ…と、島部５ａよりも幅が狭い帯状の繋ぎ部５ｂ…とを有しており、複数（図１では３つ）の島部５ａ…同士が繋ぎ部５ｂ…を介して連結された形状になっている。つまり、基板５は、幅が広い島部５ａと幅が狭い繋ぎ部５ｂとが交互に配設された形状になっており、基板５の長手方向の辺は、凹凸形状になっている。
【００２８】
基板５上に実装される複数の光源６…は、光を発する部材であり、基板５の各島部５ａ…上にそれぞれ実装されて、互いに間隔をあけて一列に配列されている。光源６…は、ＳＭＴ実装により基板５の島部５ａ上に固定されることが好ましいが、勿論、他の実装方法によって基板５に固定されていてもよい。また、各光源６…は、基板５の長手方向に直交する方向に各々の発光面６ａ…を向けてそれぞれ配設されている。光源６…として、例えばＬＥＤ等の高輝度光源を用いることが好ましいが、勿論、ＬＥＤ以外の他の光源、例えば冷陰極管等を用いることも可能である。
【００２９】
複数の光源６…が実装された基板５はフレーム２の枠部２ｂに接合されている。具体的には、図３に示すように、基板５の島部５ａの上面（光源６…が実装される側の面）に両面テープ等の接着部１３…が設けられ、この接着部１３を介して基板５の島部５ａがフレーム２の枠部２ｂの裏面（放熱板３側の面）に接着接合されている。この状態のとき、基板５上に実装された光源６…は、第２の押し付け部１１に嵌め込まれ、且つ、第１の押し付け部１０が光源６…の背面６ｂ（発光面６ａの反対側の面）に当接した状態になっている。
【００３０】
基板５には、島部５ａの上面に光源６…を駆動させる駆動用ＩＣのグランド端子が形成されており、該基板５がフレーム２に組み込まれると、上述したフレーム２の開口部から露出する骨格部２８にグランド端子が接続され、例えば、骨格部２８に接続されるグランド線等を介して実装機器側から接地されている。これにより、基板５に実装される光源６…の駆動ＩＣによる電気的な振動、つまり、ノイズ等を効果的に除去することができる。
【００３１】
上記したように、フレーム２に光源基板１２が接合されるとともに、フレーム２に放熱板３が取り付けられることで、放熱板３の板面３ａを底面にしてフレーム２の枠部２ｂ〜２ｅを周壁にした容器が構成される。この容器の内部には、フレーム２の枠部２ｂに沿って複数の光源６…が配設されているとともに、図１に示すように、光反射シート４、導光板７、光学フィルタ８、遮光シート９が順次重ねられた状態で収容されている。
【００３２】
図１に示すように、光反射シート４としては、例えばＰＥＴ（ポリエチレンテレフタレート）などの樹脂基材の表面上にＡｌ，Ａｇ，Ｃｒなどの金属膜をコーティングしたものなどを用いることができる。この光反射シート４は光反射層を導光板７側に有するものであれば如何なるものであってもよい。また、この光反射シート４の代わりに、光反射層として、放熱板３の板面３ａ上に被着された光反射膜を用いることもできる。上記の光反射層は、Ａｌ，Ａｇ，Ｃｒ，Ｎｉなどの金属やこれらを主体とする合金などで構成できる。
【００３３】
導光板７は、内部に光を伝播させることのできる薄板状の導光部材であり、例えば透明なアクリル板に白色顔料を印刷したものや、同じく透明なアクリル板の片面（凹凸面７ｄ）に微細な穴（あるいは突起）を多数設けたものが利用できる。導光板７は、上記複数の光源６…の配列方向に沿って延在してこれらの光源６…に対向する側端面を有しており、この側端面を入射面７ａとしている。また、導光板７は、入射面７ａに直交して形成されて光学フィルタ８に対向する平面を有しており、この平面を出射面７ｂとしている。この導光板７では、光源６…の発光面６ａから照射された光が入射面７ａから導光板７内に入射され、入射された光が導光板７の凹凸面７ｄで分散され、分散された光が出射面７ｂから出射される。
【００３４】
光学フィルタ８は、必要に応じて導光板７の出射面７ｂ上に配設される光拡散板や集光板などであり、必要に応じて複数枚重ねることは可能であり、勿論、光拡散板や集光板等の光学フィルタ８が無い構成であってもよい。
【００３５】
遮光シート９は、光学フィルタ８、或いは導光板７の出射面７ｂの上に直接配設される枠状のシートである。遮光シート９によれば、導光板７の外縁部と重なる領域を覆い、その内側に照明装置１の照射領域を画成することができる。すなわち、この遮光シート９によって、導光板７の出射面７ｂのうち照明光の照度のばらつきの多い外縁部分が遮光され、その内側に比較的均一な照度が得られる照射領域が形成される。
【００３６】
次に、上記した構成からなる照明装置１の製造方法の一例を説明する。
まず、マグネシウムを用いて骨格部２８を枠状にダイキャスト成形する工程を行う。次に、骨格部２８を金型内に配置して、ポリカーボネートを用いて絶縁体層２９を骨格部２８の外周部に射出成形する工程を行い、骨格部２８を絶縁体層２９内に内蔵させる。その際、フレーム２における枠部２ｂの所定箇所に開口部を形成し、該開口部から骨格部２８の一部を露出させた状態にしておく。次に、基板５上に複数の光源６…を実装させて光源基板１２を製作する工程を行い、接着部１３を介して基板５をフレーム２の枠部２ｂに接着させ、フレーム２に光源基板１２を接合させる工程を行う。続けて、基板５上のグランド端子をフレーム２の開口部内において骨格部２８へと接続させる工程を行う。その後、フレーム２に放熱板３を取り付けて容器を形成する工程を行う。そして、放熱板３の板面３ａ上に光反射シート４を敷き、その光反射シート４の上に載せるようにして、フレーム２の内側に導光板７を嵌め込んで取り付ける工程を行う。最後に、導光板７の出射面７ｂ上に光学フィルタ８や遮光シート９を順次設置する工程を行う。なお、上記した構成からなる照明装置１は、上述した方法以外の製造方法でも製造可能であり、上記した製造方法以外の周知の製造方法によっても製造可能である。
【００３７】
次に、上記した構成からなる照明装置１の作用効果について説明する。
上記した構成からなる照明装置１によれば、フレーム２の絶縁体層２９内に導電性材料からなる骨格部２８を内蔵させた構成となっているので、フレーム２の絶縁性を確保しつつ該フレーム２自体の剛性を格段に向上させることができる。さらに、骨格部２８がフレーム２の形状に沿って枠状に形成されていることから、部分的ではなくフレーム２の全周に亘って剛性部材が内蔵されることになり、フレーム２の剛性を著しく高めることができる。従来においては樹脂製のフレームに別部品を追加するなどしていたが、本実施形態によれば、部品点数を増やすことなく簡易な構成でフレーム２の剛性を向上させることができるとともに、フレーム２の外形サイズを最小限の大きさに抑えることができる。
【００３８】
また、絶縁体層２９により、フレーム２に保持される導光板７に対する応力が緩和されて該導光板７に割れや欠けが発生するのを防止することができるとともに、骨格部２８と導光板７とが確実に絶縁されるので接触による電気的なショートが引き起こされるのを確実に阻止することができる。また、このような絶縁体層２９の開口部から露出する骨格部２８に基板５上のグランド端子が接続されることによって、光源６…による電気的な振動（ノイズ）を除去することができるので、良好な表示を可能にする。
また、固定用フック部２３によって照明装置１が実装機器から外れなくなるので製品の信頼性及び長寿命化を図ることができる。
【００３９】
［液晶表示装置］
次いで、本実施の形態における液晶表示装置５０について説明する。
図４は本実施の形態における液晶表示装置５０を表した断面図である。
図４に示すように、液晶表示装置５０は、上記した照明装置１を備える液晶表示装置であり、パッシブマトリクス型の液晶表示装置、或いは、アクティブマトリクス型の液晶表示装置がある。なお、前記したアクティブマトリクス型の液晶表示装置とは、例えばＴＦＴ（薄膜トランジスタ）やＴＦＤ（薄膜ダイオード）をスイッチング素子として備えた液晶表示装置である。液晶表示装置５０は、照明装置１に備えられた導光板７の出射面７ｂからの出射光を液晶パネル５１に照射させる構成からなっている。具体的には、照明装置１の遮光シート９に対向させて液晶パネル５１が配置され、液晶パネル５１の上から保持枠５２がフレーム２に取り付けられる構成からなる。
【００４０】
液晶パネル５１は、ガラスやプラスチックなどで構成される一対の基板５３，５４を図示しないシール材などで貼り合わせ、これらの基板５３，５４間に電気光学物質、例えば液晶を配置したものである。通常、一方の基板５３には、他方の基板５４の外形よりも外側へ張り出した基板張出部５３ａが設けられ、この基板張出部５３ａ上には入力端子部などが構成されている。図４に示す例では基板張出部５３ａ上に駆動回路などを内蔵する半導体ＩＣ５５が実装されている。なお、基板５３，５４の外面上には、偏光板や位相差板などが配置されるが、これらについては図示を省略してある。
【００４１】
保持枠５２は、液晶パネル５１の表示領域を露出するとともに、液晶パネル５１の外縁部を上方から支持するように構成されている。保持枠５２には図示しない複数の被係合部が設けられ、これらの複数の係合部がフレーム２に設けられた図１に示す係止部２ｏ，２ｐ，２ｑ，２ｒにそれぞれ係合することにより、保持枠５２がフレーム２に固定されるようになっている。そして、これによって、液晶パネル５１や保持枠５２、照明装置１等が一体化されて液晶表示装置５０が形成される。なお、上記した係止部２ｑ，２ｒは図１に表されていないが、図１に表された係止部２ｏ，２ｐと同様の構成からなり、図１では係止部２ｑ，２ｒが形成される位置に符号が付してある。
【００４２】
上記した構成からなる液晶表示装置５０によれば、上記した照明装置１が備えられていることにより、均一且つ十分な明るさで表示され、視認性の良い液晶表示装置５０を実現することができる。
【００４３】
［電子機器］
次いで、本実施の形態における電子機器１００について説明する。
図５は本実施形態の表示系の構成を示す概略構成図である。
図５に示すように、電子機器１００は、上記した液晶表示装置５０と、表示制御回路１１０とを有する構成からなる。なお、液晶表示装置５０に備えられた図４に示す半導体ＩＣ５５によって駆動回路５６が構成されている。
表示制御回路１１０は、表示情報出力源１１１と、表示情報処理回路１１２と、電源回路１１３と、タイミングジェネレータ１１４と、光源制御回路１１５とを備える構成からなる。
【００４４】
表示情報出力源１１１は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ１１４によって生成された各種のクロック信号に基づいて、所定フォーマットの画像信号等の形で表示情報を表示情報処理回路１１２に供給するように構成されている。
【００４５】
表示情報処理回路１１２は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に液晶表示装置５０の駆動回路５６へ供給する。この駆動回路５６は、走査線駆動回路、信号線駆動回路及び検査回路を有している。また、電源回路１１３は、上記した表示情報出力源１１１や表示情報処理回路１１２、タイミングジェネレータ１１４、光源制御回路１１５、駆動回路５６等にそれぞれ所定の電圧を供給する。
【００４６】
光源制御回路１１５は、外部から導入される制御信号に基づいて、電源回路１１３から供給される電力を照明装置１の光源基板１２に供給する。光源基板１２の各光源６…から放出された光は導光板７の図１に示す入射面７ａに入射して図１に示す出射面７ｂから液晶表示装置５０に対して照射される。この光源制御回路１１５は、上記制御信号に応じて光源基板１２の各光源６…の点灯／非点灯を制御する。また、各光源６…の輝度を制御することも可能である。
【００４７】
図６は上記した電子機器１００の一例である携帯電話１０００の外観を示す斜視図である。
図６に示すように、この携帯電話１０００は、操作部１００１と、表示部１００２とを有し、表示部１００２の筐体内部に回路基板１００３が配置されている。回路基板１００３上には上記の液晶表示装置５０が実装されている。そして、表示部１００２の表面において上記液晶パネル５１の表示画面を視認できるように構成されている。
【００４８】
上記した構成からなる電子機器１００によれば、上記した液晶表示装置５０が搭載された構成からなるため、快適な表示を実現した電子機器１００を提供することができる。
【００４９】
以上、本発明に係る照明装置、液晶表示装置及び電子機器の実施の形態について説明したが、本発明は上記した実施の形態に限定されるものではなく、その趣旨を逸脱しない範囲で適宜変更可能である。
上記した実施の形態では、骨格部２８に絶縁体層２９を形成する際、二重射出成形によって形成することを述べたが、骨格部２８の外周部に、例えばフッ素樹脂等の樹脂を成膜（コーティング）することによって形成してもよい。また、導光板７をフレーム２固定するための第２の押し付け部１１が備えられているが、本発明は、第２の押し付け部が備えられていない照明装置であってもよい。その他、本発明の主旨を逸脱しない範囲で、上記した実施の形態の構成要素を周知の構成要素に置き換えることは可能であり、上記した変形例を適宜組み合わせてもよい。
【００５０】
また、上記した実施の形態では、照明装置１が、画像や情報などを表示する液晶表示装置５０に搭載されているが、本発明に係る照明装置は、所定の光を被照射体に出射するものでもよい。
また、上記した実施の形態では、電子機器１００として携帯電話１０００を例示しているが、本発明は、パーソナルコンピュータや液晶テレビ、ビューファインダ型又はモニタ直視型のビデオテープレコーダ、カーナビゲーション装置、ページャ、電子手帳、電卓、ワードプロセッサ、ワークステーション、テレビ電話機、ＰＯＳ端末器、デジタル腕時計等の電子機器であってもよい。
【図面の簡単な説明】
【００５１】
【図１】本発明に係る実施の形態における照明装置の分解斜視図である。
【図２】図１に示す固定用フック部のＡ−Ａ断面図である。
【図３】本発明に係る実施の形態における基板の平面図である。
【図４】本発明に係る実施の形態における液晶表示装置の断面図である。
【図５】本発明に係る実施の形態における電子機器の概略構成図である。
【図６】本発明に係る実施の形態における電子機器の外観斜視図である。
【符号の説明】
【００５２】
１…照明装置、２…フレーム、５…基板、５ａ…島部、５ｂ…繋ぎ部、６…光源、６ａ…発光面、７…導光板（導光体）、７ａ…入射面、７ｂ…出射面、１０…第１の押し付け部、１１…第２の押し付け部、２３…固定用フック部、２５…矩形孔、２６…爪部、２７…係合部、２８…骨格部、２９…絶縁体層（樹脂層）、５０…液晶表示装置、５１…液晶パネル、１００…電子機器
【図１】
0004720557.tif 000002
【図２】
0004720557.tif 000003
【図３】
0004720557.tif 000004
【図４】
0004720557.tif 000005
【図５】
0004720557.tif 000006
【図６】
0004720557.tif 000007